(57)【要約】【課題】利便性の低下を防止して収納ケースの撓みによる衝突を回避できる冷蔵庫を提供する。【解決手段】前面に開口部５ａを有する貯蔵室５と、貯蔵物を収納するとともに貯蔵室５の底面との間に隙間Ｄを有して前後にスライド自在に支持される収納ケース１０とを備えた冷蔵庫１において、収納ケース１０の底面１０ｄの前部に凹部１２を設け、凹部１２の底面１２ａを前方が下がる傾斜面にした。【選択図】図２
2012002477.tif 000002
【特許請求の範囲】
【請求項１】
前面に開口部を有する貯蔵室と、貯蔵物を収納するとともに前記貯蔵室の底面との間に隙間を有して前後にスライド自在に支持される収納ケースとを備えた冷蔵庫において、前記収納ケースの底面の前部に前方が下がる傾斜面を設けたことを特徴とする冷蔵庫。
【請求項２】
前記傾斜面が前記収納ケースの前壁から後方に延びて形成されることを特徴とする請求項１に記載の冷蔵庫。
【請求項３】
前記収納ケースの底面の前部に凹部を設け、前記凹部の底面が前記傾斜面から成ることを特徴とする請求項１または請求項２に記載の冷蔵庫。
【請求項４】
前記凹部が前記収納ケースの側壁に隣接することを特徴とする請求項３に記載の冷蔵庫。
【請求項５】
前記傾斜面の水平面に対する傾斜角度が前記収納ケースの前壁の抜き勾配に略一致することを特徴とする請求項１〜請求項４のいずれかに記載の冷蔵庫。
【発明の詳細な説明】
【技術分野】
【０００１】
本発明は、前後にスライドする収納ケースを備えた冷蔵庫に関する。
【背景技術】
【０００２】
従来の冷蔵庫は特許文献１に開示されている。この冷蔵庫は前面に開口部を有する複数の貯蔵室を備え、下方の貯蔵室内には扉と一体に出し入れされる収納ケースが配される。収納ケースは開口部を開閉する扉と一体に形成され、左右の両端部に設けたレール装置によって貯蔵室の底面との間に隙間を有して前後にスライド自在に設けられる。これにより、収納ケースの奥に収納した貯蔵物を容易に出し入れすることができ、貯蔵室内のスペースを有効に利用することができる。
【０００３】
また、特許文献２には収納ケースを支持する支持部を扉に設けた冷蔵庫が開示される。支持部は扉の背面下部に突設され、収納ケースの下面を支持する。支持部によって収納ケース内に重量の大きい貯蔵物を収納した際の収納ケースの底面の撓みを低減することができる。
【先行技術文献】
【特許文献】
【０００４】
【特許文献１】特開２００９−２２８９４８号公報（第６頁−第１４頁、第４図）
【特許文献２】特開２００８−８２６２４号公報（第４頁−第７頁、第２図）
【発明の概要】
【発明が解決しようとする課題】
【０００５】
近年、内容量が２Ｌのペットボトル等の飲料容器を下部の貯蔵室の収納ケース内に収納するニーズが高くなっている。飲料容器は高さが高く収納ケース内に立設されるため、取り出しやすいように収納ケースの前部に配されるのが一般的である。また、収納ケースの底面の前部に飲料容器設置用の凹部が設けられた冷蔵庫も知られている。
【０００６】
収納ケースに立設された飲料容器によって収納ケースの底面には狭い面積で大きな荷重が加わるため局部的な撓み量が大きくなる。このため、飲料容器を収納した収納ケースを出し入れする際に貯蔵室の開口部の下端に衝突する場合がある。収納ケースの底面と貯蔵室の底面との隙間を大きくすると、この衝突を回避することができる。しかしながら、収納ケースの底面と貯蔵室の上面との距離が短くなるため高さの高い飲料容器が入らない場合があり、冷蔵庫の利便性が低下する問題があった。
【０００７】
特許文献２に開示された冷蔵庫によると、収納ケースの貯蔵物による撓みを低減できるが、収納ケースと貯蔵室の底面との間に支持部が設けられる。このため、収納ケースの底面と貯蔵室の底面との隙間が大きくなるため、上記と同様に高さの高い飲料容器が入らない場合がある。
【０００８】
本発明は、利便性の低下を防止して収納ケースの撓みによる衝突を回避できる冷蔵庫を提供することを目的とする。
【課題を解決するための手段】
【０００９】
上記目的を達成するために本発明は、前面に開口部を有する貯蔵室と、貯蔵物を収納するとともに前記貯蔵室の底面との間に隙間を有して前後にスライド自在に支持される収納ケースとを備えた冷蔵庫において、前記収納ケースの底面の前部に前方が下がる傾斜面を設けたことを特徴としている。
【００１０】
この構成によると、内容量が２Ｌのペットボトル等の飲料容器が収納ケースの底面の傾斜面上に立設されると、傾斜面が下方に突出するように撓む。この時、飲料容器の傾斜によって飲料容器の重心が水平面上に設置した場合に比して収納ケースの前壁に近づく。これにより、傾斜面は収納ケースの前壁に支えられて撓みが低減される。また、傾斜面によって飲料容器の上端位置が低く維持され、高さの高い飲料容器を収納することができる。
【００１１】
また本発明は、上記構成の冷蔵庫において、前記傾斜面が前記収納ケースの前壁から後方に延びて形成されることを特徴としている。
【００１２】
また本発明は、上記構成の冷蔵庫において、前記収納ケースの底面の前部に凹部を設け、前記凹部の底面が前記傾斜面から成ることを特徴としている。この構成によると、飲料容器は凹部内に立設され、凹部の底面は前方が下がる傾斜面に形成される。これにより、凹部の底面の後端と貯蔵室の底面との隙間が大きく、凹部の底面の前端と貯蔵室の底面との隙間が小さくなる。
【００１３】
また本発明は、上記構成の冷蔵庫において、前記凹部が前記収納ケースの側壁に隣接することを特徴としている。この構成によると、凹部が収納ケースの側壁により支えられ、凹部の底面の撓み量が低減される。
【００１４】
また本発明は、上記構成の冷蔵庫において、前記傾斜面の水平面に対する傾斜角度が前記収納ケースの前壁の抜き勾配に略一致することを特徴としている。この構成によると、収納ケースの前壁は抜き勾配によって鉛直面に対して下方が後方に傾斜する。傾斜面の傾斜角度は前壁の抜き勾配に略一致し、飲料容器の荷重が前壁に加わるため収納ケースの底面の撓みが低減される。
【発明の効果】
【００１５】
本発明によると、収納ケースの底面の前部に前方が下がる傾斜面を設けたので、傾斜面の後部と貯蔵室の底面との隙間を大きくできる。また、傾斜面上に立設した飲料容器の重心が前方に配され、収納ケースの底面の撓みを低減することができる。このため、収納ケースの底面の撓みによる収納ケースと貯蔵室の開口部の下端との衝突を回避することができる。加えて、傾斜面上に立設した飲料容器の上端位置を低く維持できるため高さの高い飲料容器を収納することができ、冷蔵庫の利便性の低下を防止することができる。
【図面の簡単な説明】
【００１６】
【図１】本発明の第１実施形態の冷蔵庫を示す側面断面図
【図２】本発明の第１実施形態の冷蔵庫の収納ケースを示す側面断面図
【図３】本発明の第１実施形態の冷蔵庫の収納ケースを示す上面図
【図４】本発明の第２実施形態の冷蔵庫の収納ケースを示す側面断面図
【発明を実施するための形態】
【００１７】
以下に本発明の実施形態を図面を参照して説明する。図１は第１実施形態の冷蔵庫を示す側面断面図である。冷蔵庫１は本体部を形成する断熱箱体２を備え、断熱箱体２には上方から順に冷蔵室３、冷凍室４、野菜室５が設けられる。冷蔵室３と冷凍室４とは断熱壁６によって仕切られ、冷凍室４と野菜室５とは断熱壁７によって仕切られる。
【００１８】
冷蔵室３の前面の開口部３ａは回動式の扉３ｂにより開閉される。冷凍室４の前面の開口部４ａは収納ケース８と一体に形成された引き出し式の扉４ｂにより開閉される。冷凍室４の側壁及び収納ケース８の側壁の外面には前後に延びて互いに摺動する案内部（不図示）が設けられる。案内部によって収納ケース８が扉４ｂとともに前後に円滑に出し入れされる。
【００１９】
野菜室５の前面の開口部５ａは収納ケース１０と一体に形成された引き出し式の扉５ｂにより開閉される。野菜室５の側壁及び収納ケース１０の側壁の外面には前後に延びて互いに摺動する案内部（不図示）が設けられる。案内部によって収納ケース１０が扉５ｂとともに前後に円滑に出し入れされる。
【００２０】
図２、図３は野菜室５の収納ケース１０を示す側面断面図及び上面図である。収納ケース１０は上面を開口した樹脂成形品から成り、断熱材を充填した扉５ｂの背面に取り付けられる。収納ケース１０の前壁１０ａ、背壁１０ｂ及び両側壁１０ｃには成形時の抜き勾配が設けられ、鉛直面に対して下方が対向する壁面に互いに近づくように傾斜する。抜き勾配は例えば、３゜に形成される。
【００２１】
収納ケース１０の底壁１０ｄは貯蔵物が載置される底面を形成し、底壁１０ｄの外面には格子状のリブ１０ｅが突設される。リブ１０ｅによって収納ケース１０の底壁１０ｄの撓みが低減される。収納ケース１０の底壁１０ｄの前部には凹部１２が形成される。凹部１２は収納ケース１０の前壁１０ａ及び右側の側壁１０ｃに隣接して設けられる。収納ケース１０の底面の前部に凹部１２が形成され、凹部１２の底面１２ａは収納ケース１０の前壁１０ａから後方に延びて前方が下がる傾斜面に形成される。
【００２２】
収納ケース１０の上面には果物等の小物の貯蔵物を収納する小物ケース１１が載置される。小物ケース１１は樹脂成形品から成り、凹部１２の上方を切欠いた切欠き部１１ａが設けられる。切欠き部１１ａを介して内容量が２Ｌのペットボトル等の飲料容器Ｗを凹部１２上に立設できるようになっている。
【００２３】
上記構成の冷蔵庫１において、収納ケース１０の凹部１２に飲料容器Ｗが収納され、扉５ｂが出し入れされる。この時、野菜室５の底面と凹部１２との間には飲料容器Ｗの重量による凹部１２の底面１２ａの撓みを考慮した隙間Ｄ（図２参照）が設けられる。隙間Ｄによって収納ケース１０の出し入れ時の凹部１２と野菜室５の開口部５ａの下端との接触が回避される。
【００２４】
この時、飲料容器Ｗを水平面上に設置した場合に比して傾斜面から成る底面１２ａ上に立設した飲料容器Ｗの重心が前方に配される。このため、飲料容器Ｗの重心が収納ケース１０の前壁１０ａに近づき、前壁１０ａにより支えられる凹部１２の底面１２ａの撓みが低減される。これにより、隙間Ｄを小さくすることができる。また、凹部１２が収納ケース１０の前壁１０ａに支えられるため底面１２ａの前部は後部よりも撓み量が小さい。このため、凹部１２の底面１２ａの前部は傾斜面により隙間Ｄが小さくなっても、野菜室５の開口部５ａの下端との接触が回避される。
【００２５】
また、飲料容器Ｗは傾斜して立設されるため、鉛直面に投影した高さが高くなる。例えば、内容量が２Ｌのペットボトルは水平面上に立設した高さが約３１２ｍｍであり、直径が約１１０ｍｍである。凹部１２の底面１２ａの傾斜角度θ（図２参照）を１．５゜とすると、該ペットボトルの鉛直面に投影した高さは約３１３．４ｍｍになるため約１．４ｍｍ増加する。
【００２６】
この時、凹部１２の奥行を１１０ｍｍとすると、底面１２ａの前端は後端に対して約３ｍｍ下がる。このため、ペットボトルの上端位置は凹部１２の底面１２ａを後端から水平に形成した場合よりも約１．６ｍｍ低くなる。即ち、凹部１２の底面１２ａの後端の隙間Ｄを十分確保するとともに、飲料容器Ｗの上端位置を低く維持することができる。従って、高さの高い飲料容器Ｗを収納できなくなることを回避し、冷蔵庫１の利便性の低下を防止することができる。
【００２７】
尚、傾斜角度θが小さすぎると、凹部１２の後端に所定の隙間Ｄを確保した際に高さの高い飲料容器Ｗを収納できない可能性がある。また、傾斜角度θが大きすぎると、飲料容器Ｗの下部と収納ケース１０の前壁１０ａとの間にデッドスペースが形成され、収納ケース１０の実質的な容積が減少する。
【００２８】
このため、傾斜角度θは飲料容器Ｗの形状や高さによって適切に設定される。この時、収納ケース１０の前壁１０ａの抜き勾配に傾斜角度θを略一致させると、デッドスペースを形成することなく飲料容器Ｗの荷重の一部が前壁１０ａに加わる。これにより、凹部１２の底面１２ａの撓みをより低減することができる。
【００２９】
本実施形態によると、凹部１２の底面１２ａが収納ケース１０の底面の前部を形成して前方が下がる傾斜面から成るので、傾斜面の後部と野菜室５の底面との隙間Ｄを大きくできる。また、傾斜面上に立設した飲料容器Ｗの重心が前方に配され、収納ケース１０の底面の撓みを低減することができる。このため、凹部１２の底面１２ａの撓みによる収納ケース１０と野菜室５の開口部５ａの下端との衝突を回避することができる。加えて、傾斜面上に立設した飲料容器Ｗの上端位置を低く維持できるため、高さの高い飲料容器Ｗを収納することができ、冷蔵庫１の利便性の低下を防止することができる。
【００３０】
また、凹部１２の底面１２ａの傾斜面が収納ケース１０の前壁１０ａから後方に延びて形成されるので、凹部１２の底面１２ａを前壁１０ａにより支えて収納ケース１０の撓みを低減することができる。
【００３１】
また、凹部１２が収納ケース１０の側壁１０ｃに隣接するので、凹部１２の底面１２ａを側壁１０ｃにより支えて収納ケース１０の撓みをより低減することができる。
【００３２】
また、凹部１２の底面１２ａの傾斜面の水平面に対する傾斜角度θを収納ケース１０の前壁１０ａの抜き勾配に略一致させると、飲料容器Ｗの荷重の一部が前壁１０ａに加わるので凹部１２の底面１２ａの撓みをより低減することができる。
【００３３】
次に、図４は第２実施形態の冷蔵庫１における野菜室５の収納ケース１０を示す側面断面図である。説明の便宜上、前述の図１〜図３に示す第１実施形態と同一の部分は同一の符号を付している。本実施形態は収納ケース１０の底壁１０ｄの前部の凹部１２（図２参照）を省いている。また、収納ケース１０の底壁１０ｄの前部には前方が下がる傾斜面１０ｅが形成される。その他の部分は第１実施形態と同様である。
【００３４】
傾斜面１０ｅは収納ケース１０の前壁１０ａから後方に延び、両側壁１０ｃに連続して形成される。傾斜面１０ｅの右部の上方には小物ケース１１の切欠き部１１ａが設けられる。切欠き部１１ａを介して内容量が２Ｌのペットボトル等の飲料容器Ｗを傾斜面１０ｅ上に立設できるようになっている。
【００３５】
本実施形態によると、第１実施形態と同様の効果を得ることができる。即ち、収納ケース１０の底面の前部に傾斜面１０ｅを設けたので、傾斜面１０ｅの後部と野菜室５の底面との隙間Ｄ（図２参照）を大きくできる。また、傾斜面１０ｅ上に立設した飲料容器Ｗの重心が前方に配され、収納ケース１０の底面の撓みを低減することができる。このため、傾斜面１０ｅの撓みによる収納ケース１０と野菜室５の開口部５ａの下端との衝突を回避することができる。加えて、傾斜面１０ｅ上に立設した飲料容器Ｗの上端位置を低く維持できるため、高さの高い飲料容器Ｗを収納することができ、冷蔵庫１の利便性の低下を防止することができる。
【００３６】
また、傾斜面１０ｅが収納ケース１０の前壁１０ａから後方に延びて形成されるので、傾斜面１０ｅを前壁１０ａにより支えて収納ケース１０の撓みを低減することができる。
【００３７】
また、傾斜面１０ｅが収納ケース１０の側壁１０ｃに隣接するので、傾斜面１０ｅを側壁１０ｃにより支えて収納ケース１０の撓みをより低減することができる。尚、傾斜面１０ｅを左右方向の一方に偏って設けてもよい。
【００３８】
第１、第２実施形態において、収納ケース１０の底面の傾斜面に配される貯蔵物を内容量が２Ｌのペットボトルの飲料容器Ｗを例に説明しているが、酒瓶等の他の飲料容器や調味料容器であってもよい。また、引き出し式の収納ケース１０と扉５ｂとを分離し、扉５ｂを開いた後に収納ケース１０を出し入れできるようにしてもよい。
【産業上の利用可能性】
【００３９】
本発明によると、前後にスライドする収納ケースを備えた冷蔵庫に利用することができる。
【符号の説明】
【００４０】
１    冷蔵庫
２    断熱箱体
３    冷蔵室
３ｂ、４ｂ、５ｂ  扉
４    冷凍室
５    野菜室
６、７  断熱壁
１０    収納ケース
１０ａ  前壁
１０ｃ  側壁
１０ｄ  底壁
１０ｅ  傾斜面
１１    小物ケース
１１ａ  切欠き部
１２    凹部
１２ａ  底面
【図１】
2012002477.tif 000003
【図２】
2012002477.tif 000004
【図３】
2012002477.tif 000005
【図４】
2012002477.tif 000006